(57)【要約】【課題】衣料に対する優れた風合い向上効果を持ち、カーボン等無機汚れの再汚染防止性能が高い衣料用洗浄剤組成物を提供する。【解決手段】（ａ）特定のアミン又はその酸塩、（ｂ）特定量の２種の非イオン性界面活性剤を含む非イオン性界面活性剤、及び（ｃ）シリコーン化合物を含有し、アニオン性界面活性剤の含有量は（ａ）に対し質量比率で１未満であり、（ａ）と（ｃ）の質量比率は（ｃ）に対し（ａ）が１未満である、衣料用洗浄剤組成物。【選択図】なし【特許請求の範囲】
【請求項１】
（ａ）下記一般式（Ｉ）で表されるアミン又はその酸塩を０．０５〜５質量％、（ｂ）下記（ｂ−１）及び（ｂ−２）を含有する非イオン性界面活性剤を１２．５〜８０質量％、並びに（ｃ）シリコーン化合物を含有し、（ｂ−１）と（ｂ−２）の質量比率は（ｂ−１）に対し（ｂ−２）が２．５〜７．０であり、洗浄剤組成物中の（ｂ−１）含有量が２．５質量％以上、洗浄剤組成物中の（ｂ−２）含有量が１０．０質量％以上であり、アニオン性界面活性剤の含有量は（ａ）に対し質量比率で１未満であり、（ａ）と（ｃ）の質量比率は（ｃ）に対し（ａ）が１未満である、衣料用洗浄剤組成物。
【化１】
2010100699.tif 000008
（式中、Ｒ1aは炭素数１４〜２２のアルキル基又はアルケニル基であり、Ｒ2aは炭素数１〜５のアルキレン基であり、Ｘは−ＣＯＯ−、−ＣＯＮＲ5a−、−ＯＣＯ−、−ＮＲ5aＣＯ−から選ばれる基である。ここで、Ｒ5aは水素原子、又は炭素数１〜３のアルキル基もしくはヒドロキシアルキル基である。Ｒ3a、Ｒ4aは、同一又は異なっていても良い炭素数１〜３のアルキル基もしくはヒドロキシアルキル基、又はＲ1a−Ｘ−Ｒ2a−である。）
（ｂ−１）下記一般式（II−１）で示される非イオン性界面活性剤
Ｒ1b−Ｏ−（Ａ1Ｏ）n1−Ｒ2b            （II−１）
（式中、Ｒ1bは炭素数１０〜１４の炭化水素基、Ａ1Ｏは炭素数２〜４のオキシアルキレン基であり、ｎ１はＡ1Ｏの付加モル数であって１〜５の整数、Ｒ2bは水素原子又はメチル基である。但しＡ1Ｏとしてオキシエチレン基以外のオキシアルキレン基の付加モル数は０〜３の整数である。）
（ｂ−２）下記一般式（II−２）で示される非イオン性界面活性剤
Ｒ3b−Ｏ−（Ａ2Ｏ）n2−Ｒ4b            （II−２）
（式中、Ｒ3bは炭素数８〜２０の炭化水素基、Ａ2Ｏは炭素数２〜４のオキシアルキレン基であり、ｎ２はＡ2Ｏの付加モル数であって８〜２０の整数、Ｒ4bは水素原子又はメチル基である。但しＡ2Ｏとしてオキシエチレン基以外のオキシアルキレン基の付加モル数は０〜５の整数である。）
【請求項２】
（ｂ−２）のＲ3bが、直鎖且つ１級のアルキル基である、請求項１記載の衣料用洗浄剤組成物。
【請求項３】
（ｂ）に対する（ｂ−１）と（ｂ−２）との合計が質量比で、０．２〜１である、請求項１又は２に記載の衣料用洗浄剤組成物。
【発明の詳細な説明】
【技術分野】
【０００１】
本発明は衣料用洗浄剤組成物に関する。
【背景技術】
【０００２】
ウール・ドライマーク衣料用洗剤、いわゆる軽質洗剤は、ニット製品、主にウールのセーターに使用されている。また近年では、化繊・木綿のカットソーやパンツなどのおしゃれ着、更にはブラジャーやショーツなどの肌着まで幅広く使われるようになってきている。
【０００３】
軽質洗剤として重要視されるのは、着用時の肌触りや柔軟性であるが、なおかつ、皮脂汚れに対する高い洗浄性能も求められている。しかしウールなどの衣料は水に十分に濡れにくく、織物などの内部への浸透性も良くないため、洗浄力が不足しがちである。さらに、肌触りや柔軟性と、高い洗浄力は背反する機能であり、これらを両立させる事は軽質洗剤の課題の一つである。
【０００４】
特許文献１には、非イオン性界面活性剤、アミドアミン又はエステルアミン化合物、シリコーン化合物を含有する液体洗浄剤組成物が、洗浄力に優れ、被洗浄物の型崩れ防止性が高く、ハリ、風合いの劣化のない液体洗浄剤組成物を提供する技術が記載されている。また特許文献２には、非イオン性界面活性剤、アミン及び／又はその塩、特定のポリエーテル変性シリコーンを含有する衣料用液体洗浄剤組成物が、ポリエステル素材の衣料に優れたすべり性を付与できることが記載されている。また、特許文献３には、特定の非イオン性界面活性剤、特定のアミン化合物、特定のシリコーン誘導体を含有する洗浄剤組成物が、衣料に優れた柔軟効果や布帛ケア効果を付与できることが記載されている。また、特許文献４には、特定のシリコーン誘導体、特定の第４級アンモニウム塩及び／又はアミン化合物を含有する液体洗浄剤組成物が、木綿衣料に優れた柔軟効果とカラーケア効果を付与できることが記載されている。
【特許文献１】特開２００７−１６９５１４号公報
【特許文献２】特開２００６−２２５６３５号公報
【特許文献３】特開２００５−１５４５０５号公報
【特許文献４】特開２００２−２４９７９９号公報
【発明の開示】
【発明が解決しようとする課題】
【０００５】
上記特許文献記載のように、アミンやカチオン性化合物をシリコーンと併用することにより、衣料に対する風合いを改善できることが知られているが、アミンの使用は、汚れの再汚染防止性能を低下させる。しかし、アミンは風合い向上のためには必要な成分であり、アミンを配合した風合い向上効果に優れた系において、再汚染防止性能を向上できる技術が望まれる。
【０００６】
本発明の課題は、衣料に対する優れた風合い向上効果を持ち、カーボン等無機汚れの再汚染防止性能が高い衣料用洗浄剤組成物を提供することにある。
【課題を解決するための手段】
【０００７】
本発明の本質は、優れた風合い効果を発現するために、シリコーンとともに布へのシリコーン吸着促進効果のあるアミン化合物を併用する一方で、アミン化合物を配合することによる再汚染防止性能の低下を防ぎ、優れた風合いと汚れの再汚染防止性能を両立することにある。
【０００８】
本発明は、（ａ）下記一般式（Ｉ）で表されるアミン又はその酸塩〔以下、（ａ）成分という〕を０．０５〜５質量％、（ｂ）下記（ｂ−１）〔以下、（ｂ−１）成分という〕及び（ｂ−２）〔以下、（ｂ−２）成分という〕を含有する非イオン性界面活性剤〔以下、（ｂ）成分という〕を１２．５〜８０質量％、並びに（ｃ）シリコーン化合物〔以下、（ｃ）成分という〕を含有し、（ｂ−１）と（ｂ−２）の質量比率は（ｂ−１）に対し（ｂ−２）が２．５〜７．０であり、洗浄剤組成物中の（ｂ−１）含有量が２．５質量％以上、洗浄剤組成物中の（ｂ−２）含有量が１０．０質量％以上であり、アニオン性界面活性剤の含有量は（ａ）に対し質量比率で１未満であり、（ａ）と（ｃ）の質量比率は（ｃ）に対し（ａ）が１未満である、衣料用洗浄剤組成物に関する。
【０００９】
【化２】
2010100699.tif 000002
【００１０】
（式中、Ｒ1aは炭素数１４〜２２のアルキル基又はアルケニル基であり、Ｒ2aは炭素数１〜５のアルキレン基であり、Ｘは−ＣＯＯ−、−ＣＯＮＲ5a−、−ＯＣＯ−、−ＮＲ5aＣＯ−から選ばれる基である。ここで、Ｒ5aは水素原子、又は炭素数１〜３のアルキル基もしくはヒドロキシアルキル基である。Ｒ3a、Ｒ4aは、同一又は異なっていても良い炭素数１〜３のアルキル基もしくはヒドロキシアルキル基、又はＲ1a−Ｘ−Ｒ2a−である。）
（ｂ−１）下記一般式（II−１）で示される非イオン性界面活性剤
Ｒ1b−Ｏ−（Ａ1Ｏ）n1−Ｒ2b            （II−１）
（式中、Ｒ1bは炭素数１０〜１４の炭化水素基、Ａ1Ｏは炭素数２〜４のオキシアルキレン基であり、ｎ１はＡ1Ｏの付加モル数であって１〜５の整数、Ｒ2bは水素原子又はメチル基である。但しＡ1Ｏとしてオキシエチレン基以外のオキシアルキレン基の付加モル数は０〜３の整数である。）
（ｂ−２）下記一般式（II−２）で示される非イオン性界面活性剤
Ｒ3b−Ｏ−（Ａ2Ｏ）n2−Ｒ4b            （II−２）
（式中、Ｒ3bは炭素数８〜２０の炭化水素基、Ａ2Ｏは炭素数２〜４のオキシアルキレン基であり、ｎ２はＡ2Ｏの付加モル数であって８〜２０の整数、Ｒ4bは水素原子又はメチル基である。但しＡ2Ｏとしてオキシエチレン基以外のオキシアルキレン基の付加モル数は０〜５の整数である。）
【発明の効果】
【００１１】
本発明によれば、衣料に対する優れた風合い向上効果を持ち、カーボン等無機汚れの再汚染防止性能が高い衣料用洗浄剤組成物が提供される。
【発明を実施するための最良の形態】
【００１２】
＜（ａ）成分＞
（ａ）成分は風合い向上効果を有するとともに、（ｃ）成分の布への吸着促進効果も有する。
【００１３】
（ａ）成分は、上記一般式（Ｉ）で表されるアミン又はその酸塩である。（ａ）成分の具体例としては、ラウリルアミドプロピルジメチルアミン、ミリスチルアミドプロピルジメチルアミン、パルミチルアミドプロピルジメチルアミン、ステアリルアミドプロピルジメチルアミン、ベヘニルアミドプロピルジメチルアミン、オレイルアミドプロピルジメチルアミン、パルミチルアミドプロピルジエタノールアミン、ステアリルアミドプロピルジエタノールアミン等の脂肪族アミドアルキル三級アミン及びそれらの塩、パルミテートエステルプロピルジメチルアミン、ステアレートエステルプロピルジメチルアミン等の脂肪族エステルアルキル三級アミン及びそれらの塩等が挙げられ、これらの中でもミリスチルアミドプロピルジメチルアミン、パルミチルアミドプロピルジメチルアミン、ステアリルアミドプロピルジメチルアミン、ベヘニルアミドプロピルジメチルアミン、オレイルアミドプロピルジメチルアミン、及びこれらの塩が好ましく、特にはステアリルアミドプロピルジメチルアミン及びその塩が好ましい。
【００１４】
＜（ｂ）成分＞
一般にアルキレンオキシド付加物を含む非イオン性界面活性剤は、アルキレンオキシドの付加モル数に分布を有している。本発明の（ｂ−１）成分と（ｂ−２）成分は、こうした分布を形成する個々の化合物に注目してアルキレンオキシドの付加モル数を特定したものであって、それぞれ、特定炭素数の炭化水素基と特定付加モル数のオキシアルキレン基とを有し、オキシアルキレン基の付加モル数により、洗浄性に与える機能に異なる特徴が現れる。
【００１５】
すなわち、本発明者らは、（ｂ）成分のうち（ｂ−１）成分は再汚染防止性能に寄与することを見出した。一方で（ｂ−２）成分は洗浄力に大きな寄与をするため、（ｂ−１）成分と（ｂ−２）成分のバランスが大変重要であり、好適な範囲があるということを見出した。
【００１６】
（ｂ−１）成分と（ｂ−２）成分を所定条件で併用することで、洗浄性能を確保しながら、アミンを配合した系において再汚染防止性能を向上できる技術が提供できることは、従来技術にはない格別の効果である。
【００１７】
（ｂ−１）成分は、下記一般式（II−１）で表される構造を有する化合物である。また、（ｂ−２）成分は、下記一般式（II−２）で表される構造を有する化合物である。なお、オキシアルキレン基の付加モル数の分布（Ａ1Ｏ付加モル数の分布、Ａ2Ｏ付加モル数の分布）は、ガスクロマトグラフィーにて通常の方法で測定を行う。
【００１８】
Ｒ1b−Ｏ−（Ａ1Ｏ）n1−Ｒ2b            （II−１）
（式中、Ｒ1bは炭素数１０〜１４の炭化水素基、Ａ1Ｏは炭素数２〜４のオキシアルキレン基であり、ｎ１はＡ1Ｏの付加モル数であって１〜５の整数、Ｒ2bは水素原子又はメチル基である。但しＡ1Ｏとしてオキシエチレン基以外のオキシアルキレン基の付加モル数は０〜３の整数である。）
Ｒ3b−Ｏ−（Ａ2Ｏ）n2−Ｒ4b            （II−２）
（式中、Ｒ3bは炭素数８〜２０の炭化水素基、Ａ2Ｏは炭素数２〜４のオキシアルキレン基であり、ｎ２はＡ2Ｏの付加モル数であって８〜２０の整数、Ｒ4bは水素原子又はメチル基である。但しＡ2Ｏとしてオキシエチレン基以外のオキシアルキレン基の付加モル数は０〜５の整数である。）
【００１９】
一般式（II−１）では、Ｒ1bは直鎖、分岐鎖、また飽和、不飽和のいずれでもよい。Ｒ1bは、好ましくは炭素数１０〜１４のアルキル基もしくはアルケニル基、又はアルキルフェニル基、更に好ましくはアルキル基、特に好ましくは直鎖２級アルコール由来のアルキル基である。また、一般式（II−１）の化合物は、Ａ1Ｏを１分子中に２種以上有していてもよい。Ａ1Ｏはオキシエチレン基、オキシプロピレン基が好ましく、Ａ1Ｏすべてがオキシエチレン基であることが最も好ましい。ｎ１は合計で１〜５の整数であり、オキシエチレン基以外のＡ1Ｏの付加モル数は、０〜２が好ましく、特には０が好ましい。また、Ｒ2bは水素原子が好ましい。
【００２０】
一般式（II−２）では、Ｒ3bは直鎖、分岐鎖、また飽和、不飽和のいずれでもよい。Ｒ3bは、好ましくは炭素数８〜２０、更に炭素数８〜１４のアルキル基もしくはアルケニル基、又はアルキルフェニル基、更に好ましくはアルキル基であり、特に好ましくは直鎖１級アルコール由来のアルキル基ある。また、一般式（II−２）の化合物は、Ａ2Ｏを１分子中に２種以上有していてもよい。Ａ2Ｏはオキシエチレン基、オキシプロピレン基が好ましく、Ａ2Ｏすべてがオキシエチレン基であることが最も好ましい。ｎ２は合計で８〜２０の整数であり、８〜１８が好ましく、さらに８〜１６、特には８〜１４が好ましく、オキシエチレン基以外のＡ2Ｏの付加モル数は、０〜３が好ましく、特には０が好ましい。また、Ｒ4bは水素原子が好ましい。
【００２１】
（ｂ）成分は（ｂ−１）成分及び（ｂ−２）成分のみから構成されていてもよく、（ｂ−１）成分及び（ｂ−２）成分が（ｂ）成分の一部であってもよい。従って（ｂ）成分に対する（ｂ−１）及び（ｂ−２）の合計が質量比で、０．２〜１であることが好ましく、０．６〜１がより好ましく、０．８〜１が最も好ましい。
【００２２】
（ｂ−１）成分及び（ｂ−２）成分以外の（ｂ）成分は、衣料用洗浄剤に用いることが知られている公知の非イオン性界面活性剤を用いることができる。例えば、アルキルグリコシドなどの多価アルコール系の非イオン性界面活性剤であってもよい。また（ｂ）成分は、本発明で規定する（ｂ−１）成分と（ｂ−２）成分の量的関係を満たすために（ｂ−１）成分又は（ｂ−２）成分を含むポリオキシアルキレンアルキルエーテルの混合物又はそのメチルエーテル化物の混合物を使用してもよく、また分布の異なる２種以上の該ポリオキシアルキレンアルキルエーテルの混合物又はそのメチルエーテル化物の混合物を用いて調製してもよい。好ましい前記混合物の組み合わせとしては、アルキル基の炭素数が１０〜１４であって、且つエチレンオキシドの平均付加モル数が１〜４、特には３〜４であるポリオキシエチレンアルキルエーテルと、アルキル基の炭素数が１０〜１４であって、且つエチレンオキシドの平均付加モル数が９〜１２モル、特には９〜１１であるポリオキシエチレンアルキルエーテルとの組み合わせが好ましい。なお、ポリオキシアルキレンアルキルエーテル混合物は、製造時にアルキレンオキシドが付加していないアルコールが不純物として混ざってくる。特に平均付加モル数を５以下のものを調製する場合、かなりの割合で未反応の高級アルコールが混入してくる。本発明ではこのような高級アルコールを蒸留操作により、該混合物中５質量％以下、好ましくは２質量％まで低減化させたものを、（ｂ）成分として用いることが好ましい。
【００２３】
＜（ｃ）成分＞
（ｃ）成分のシリコーン化合物としては、ジメチルシリコーンや変性シリコーン、例えば、アミドポリエーテル変性シリコーン化合物、エーテル変性シリコーン化合物、アミノ変性シリコーン化合物、カルボキシ変性シリコーン化合物、アルキル変性シリコーン化合物、エポキシ変性シリコーン化合物などを挙げることができる。（ｃ）成分としては、変性シリコーンが好ましく、エーテル変性シリコーン化合物及びアミノ変性シリコーン化合物から選ばれる変性シリコーン化合物がより好ましく、特に下記一般式（III）で表されるアミドポリエーテル変性シリコーン化合物がさらにより好ましい。
【００２４】
【化３】
2010100699.tif 000003
【００２５】
〔式中の各記号の意味は下記のとおりである。
Ｒ：炭素数１〜４のアルキル基、ヒドロキシル基又はアルコキシル基
Ｒ1：同一又は異なっていてもよい炭素数１〜４のアルキル基
ｌ：１００〜６００の数
ｍ及びｎ：ｍが０〜６０の数で、ｎが０〜３０の数であり、ｍ＋ｎが５〜９０となる数
Ａ：下記の（イ）で示される基のみを有するもの又は（イ）と（ロ）で表される基を有するものが混在したものであり、後者の場合は（ロ）の割合が５０モル％以下である。
（イ）−（ＣＨ2）ａ−Ｎ（−Ｒ2）−ＣＯ−（ＣＨ2）ｂ−Ｏ−（Ｃ2Ｈ4Ｏ）ｃ−（Ｃ3Ｈ6０）ｄ−Ｒ3
（ロ）−（ＣＨ2）ａ−Ｎ（−Ｒ2）−Ｈ
（ここで、ａは２〜６、ｂは１〜６の数を示し、ｃ、ｄはｃが０〜２０で、ｄが０〜２０であり、ｃ＋ｄが１〜３０となる数を示し、Ｒ2は水素原子又は炭素数１〜４のアルキル基を示し、Ｒ3は水素原子又は炭素数１〜２０のアルキル基又はアルケニル基を示す）
Ｂ：下記の（ハ）で表される基
（ハ）−（ＣＨ2）ｅ−Ｏ−（Ｃ2Ｈ4Ｏ）ｆ−（Ｃ3Ｈ6０）ｇ−Ｒ4
（ここで、ｅは２〜６の数を示し、ｆ、ｇはｆが０〜２０で、ｇが０〜２０であり、ｆ＋ｇが１〜３０となる数を示し、Ｒ4は水素原子又は炭素数１〜２０のアルキル基又はアルケニル基を示す）〕
【００２６】
前記一般式（III）で示されるシリコーン化合物としては、一般式（III）中の各記号が下記のものが好ましい。
【００２７】
Ｒは、炭素数１〜４のアルキル基、ヒドロキシル基又はアルコキシル基であり、Ｒ1は、同一又は異なっていてもよい炭素数１〜４のアルキル基である。
【００２８】
ｌは、１００〜６００であり、好ましくは２００〜５００の数であり、
ｍ及びｎは、ｍが０〜６０であり、好ましくは１〜３０の数、ｎが０〜３０であり、好ましくは１〜２０の数、ｍ＋ｎが５〜９０であり、好ましくは５〜６０となる数である。
【００２９】
Ａは、下記の（イ）で示される基のみを有するもの又は（イ）と（ロ）で表される基を有するものが混在したものであり、後者の場合は（ロ）の割合が５０モル％以下である。（イ）−（ＣＨ2）ａ−Ｎ（−Ｒ2）−ＣＯ−（ＣＨ2）ｂ−Ｏ−（Ｃ2Ｈ4Ｏ）ｃ−（Ｃ3Ｈ6０）ｄ−Ｒ3
（ロ）−（ＣＨ2）ａ−Ｎ（−Ｒ2）−Ｈ
ここで、
ａは２〜６、好ましくは２〜４の数を示し；
ｂは１〜６、好ましくは１〜３の数を示し；
ｃ、ｄはｃが０〜２０、好ましくは１〜１５を示し、ｄが０〜２０、好ましくは０〜１０を示し、ｃ＋ｄが１〜３０、好ましくは１〜２０を示し；
Ｒ2は、水素原子又は炭素数１〜４のアルキル基を示し：
Ｒ3は、水素原子又は炭素数１〜４のアルキル基又はアルケニル基を示す。
【００３０】
Ｂは、下記の（ハ）で表される基
（ハ）−（ＣＨ2）ｅ−Ｏ−（Ｃ2Ｈ4Ｏ）ｆ−（Ｃ3Ｈ6０）ｇ−Ｒ4
ここで、
ｅは２〜６、好ましくは２〜４の数を示し、
ｆ、ｇはｆが０〜２０、好ましくは３〜１５の数を示し、ｇが０〜２０、好ましくは０〜１０の数を示し、ｆ＋ｇが１〜３０、好ましくは３〜２０となる数を示し、
Ｒ4は、水素原子又は炭素数１〜２０のアルキル基又はアルケニル基を示す。
【００３１】
＜衣料用液体洗浄剤組成物＞
本発明の衣料用液体洗浄剤組成物は、（ａ）成分を０．０５〜５質量％、更に０．０５〜４質量％、より更に０．０５〜３質量％含有することが、風合いと再汚染防止性能の両立の観点から、好ましい。
【００３２】
また、本発明の衣料用液体洗浄剤組成物では、洗浄性能と再汚染防止性能の観点から、（ｂ−１）成分と（ｂ−２）成分の質量比率は（ｂ−１）成分に対し（ｂ−２）成分が２．５〜７．０であり、２．５〜６．８、さらに２．６〜６．８が好ましい。また、（ｂ−１）成分の含有量は、再汚染防止性能の観点から、組成物中、２．５質量％以上、好ましくは２．８質量％以上、より好ましくは３．０質量％以上である。また、（ｂ−２）成分の含有量は、洗浄力の観点から、組成物中、１０．０質量％以上、好ましくは１１．０質量％以上、より好ましくは１２．０質量％以上である。（ｂ）成分のうち、（ｂ−１）成分は比較的低ＨＬＢの非イオン性界面活性剤でありウールの濡れ性能が向上するため、この（ｂ−１）と（ｂ−２）を所定範囲の質量比で用いることで、再汚染防止性能と洗浄力のバランスが好適となる。
【００３３】
本発明の衣料用洗浄剤組成物は、（ｂ）成分を１２．５〜８０質量％、更に１３．８〜７５質量％、より更に１５〜７０質量％含有することが好ましい。洗浄力の点から下限値以上であり、液体安定性の点から上限値以下である。
【００３４】
また、本発明の衣料用洗浄剤組成物は、（ｃ）成分を０．１〜５質量％、更に０．１〜３質量％、より更に０．１〜２質量％含有することが、風合い向上の観点から、好ましい。
【００３５】
（ｃ）成分は、（ｃ）成分だけでも風合い向上の効果を発現するが、特に（ａ）成分と併用することにより（ｃ）成分の布への吸着率が向上し、さらなる風合い向上の効果が期待できる。しかし（ａ）成分は再汚染防止性能を低下させることがあるため、洗浄剤組成物の配合の上でそのバランスは重要である。本発明の衣料用洗浄剤組成物では、（ａ）成分と（ｃ）の質量比率は、（ｃ）成分に対して（ａ）成分が１未満であり、さらに０．０５〜０．９であることが、さらに好ましくは０．１〜０．８であることが、風合いと再汚染防止性能の両立の観点から、好ましい。
【００３６】
前記したように、（ａ）成分はそれだけでも風合い向上の効果を有するが、さらに（ｃ）成分の布への吸着促進効果を有し、さらなる風合い向上効果を発現する。その効果を阻害しないために、アニオン性界面活性剤の含有量は（ａ）成分に対し質量比率で１未満であり、さらには０．５以下であることが好ましく、さらには実質上含まないことが、風合い向上効果の観点から、好ましい。
【００３７】
陰イオン性界面活性剤としては、構造に−ＳＯ3Ｍ基、および／または−ＯＳＯ3Ｍ基〔Ｍ：対イオン〕を有する陰イオン性界面活性剤を挙げることができる。
【００３８】
具体的には、アルキルベンゼンスルホン酸、アルキル（またはアルケニル）硫酸、ポリオキシアルキレンアルキル（またはアルケニル）エーテル硫酸、オレフィンスルホン酸、アルカンスルホン酸、α−スルホ脂肪酸、α−スルホ脂肪酸エステルおよびこれらの塩が好ましい。これらの中でも特に、炭素数１０〜２２、好ましくは１０〜１８、より好ましくは１２〜１８のアルキル基またはアルケニル基を有するアルキル（またはアルケニル）硫酸、炭素数１０〜２２、好ましくは１０〜１８、より好ましくは１２〜１８のアルキル基またはアルケニル基を有し、エチレンオキシド（以下、ＥＯと表記する）平均付加モル数が１〜６、好ましくは１〜４、特に好ましくは１〜３であるポリオキシエチレンアルキル（またはアルケニル）エーテル硫酸およびこれらの塩から選ばれる一種以上を配合することが好ましい。塩としては、ナトリウム塩、カリウム塩、アンモニウム塩、アルカノールアミン塩が貯蔵安定性の点から良好である。特にアルキルベンゼンスルホン酸塩、ポリオキシエチレンアルキル（又はアルケニル）エーテルスルホン酸塩が好ましい。
【００３９】
また、更に被洗浄物などの柔軟性を向上させるためには、陽イオン性界面活性剤を、添加しても良い。陽イオン性界面活性剤としては、モノ、ジ、もしくはトリ中〜長鎖アルキル又はアルケニル型第４級アンモニウム塩、イミダゾリン塩、イミダゾリニウム塩、アミノ酸系陽イオン性界面活性剤等から選ばれる１種又は２種以上が好適に使用される。この中〜長鎖アルキル又はアルケニル基は、炭素数８〜２８、好ましくは炭素数８〜２２の直鎖又は分岐鎖であってもよく、−Ｏ−、−ＣＯＮＨ−、−ＣＯＯ−等のエーテル基、エステル基もしくはアミド基で分断、又は−ＯＨ等で置換されていてもよい。
【００４０】
その対となるアニオンは特に限定されず、塩素、ヨウ素、臭素等のハロゲンイオン；メトサルフェート、エトサルフェート、メトフォスフェート、エトフォスフェート等の有機アニオンが挙げられる。
【００４１】
陽イオン性界面活性剤の好ましい具体例として、ジステアリルジメチルアンモニウムクロライド、ステアリルトリメチルアンモニウムクロライド、カプリルトリメチルアンモニウムクロライド、ミリスチルトリメチルアンモニウムクロライド、セチルトリメチルアンモニウムクロライド、ベヘニルトリメチルアンモニウムクロライド、ラウリルトリメチルアンモニウムクロライド、Ｎ−ステアリル−Ｎ，Ｎ，Ｎ−トリ（ポリオキシエチレン）アンモニウムクロライド（ＥＯ合計３モル付加）、セチルベンジルジメチルアンモニウムクロライド、セチルトリエチルアンモニウムブロマイド、ヘキサデシルオクタデシルジメチルアンモニウムクロライドや、その他アルキル（アルキル基の炭素数８〜２８）ジメチルベンジルアンモニウム塩、ジアルキル（アルキル基の炭素数８〜２８）メチルヒドロキシエチルアンモニウム塩等が挙げられる。
【００４２】
両性界面活性剤としてアルキルカルボベタイン、アルキルアミドプロピルアミンオキサイド、アルキルスルホベタイン、アルキルアミドヒドロキシスルホベタイン、アルキルアミドアミン型ベタイン及びアルキルイミダゾリン型ベタインなどが配合できる。
【００４３】
更に本発明の洗浄剤組成物には、次の成分を配合してもよい。即ち、
アルカリ金属の水酸化物、ケイ酸塩、炭酸ナトリウム等の炭酸塩、及びアルカノールアミン等のアルカリ剤０．０１〜１０質量％、
エタノール、メタノール、プロパノール等の炭素数１〜４の低級アルコール類、グリセリン、エチレングリコール、プロピレングリコールなどのグリセリンやグリコール類、ポリオキシアルキレン（好ましくはポリオキシエチレン）ベンジルエーテル、ポリオキシアルキレンフェニルエーテル（好ましくはフェニルエチルエーテル）等のフェニル又はベンジル系の溶剤（殺菌剤としても使用できる）、パラトルエンスルホン酸（塩）、キシレンスルホン酸（塩）、安息香酸塩（防腐剤としての効果もある）並びに尿素等の減粘剤、可溶化剤（ハイドロトロープ剤）０．０１〜３０質量％、
ニトリロ三酢酸塩、エチレンジアミン四酢酸塩、イミノ二酢酸塩、ジエチレントリアミン五酢酸塩、グリコールエーテルジアミン四酢酸塩、ヒドロキシエチルイミノ二酢酸塩及びトリエチレンテトラミン六酢酸塩等のアミノポリ酢酸塩、並びにマロン酸、コハク酸、ジグリコール酸、リンゴ酸、酒石酸、クエン酸等の酸及びそれらの塩等の金属イオン捕捉剤０．１〜２０質量％、
ポリアクリル酸、ポリマレイン酸、カルボキシメチルセルロース、平均分子量５０００以上のポリエチレングリコール、無水マレイン酸−アクリル酸共重合体、無水マレイン酸−ジイソブチレン共重合体、無水マレイン酸−メチルビニルエーテル共重合体、無水マレイン酸−イソブチレン共重合体、無水マレイン酸−酢酸ビニル共重合体、ナフタレンスルホン酸塩ホルマリン縮合物、及び特開昭５９−６２６１４号公報の請求項１〜２１（１頁３欄５行〜３頁４欄１４行）記載のポリマー等の再汚染防止剤及び分散剤０．０１〜１０質量％、
ポリビニルピロリドン等の色移り防止剤０．０１〜１０質量％、
過炭酸ナトリウム又は過硼酸ナトリウム等の漂白剤０．０１〜１０質量％、
テトラアセチルエチレンジアミン、特開平６−３１６７００号公報の一般式（Ｉ−２）〜（Ｉ−７）で表される漂白活性化剤等の漂白活性化剤０．０１〜１０質量％、
アミラーゼ、プロテアーゼ、リパーゼ及びセルラーゼ等の酵素０．００１〜２質量％、
塩化カルシウム、硫酸カルシウム、ギ酸、ホウ酸（ホウ素化合物）等の酵素安定化剤０．００１〜２質量％、
チノパールＣＢＳ（チバガイギー社製）やホワイテックスＳＡ（住友化学社製）等の蛍光染料０．００１〜１質量％、
シリカ、シリコーン化合物等の消泡剤０．０１〜２質量％、
ブチルヒドロキシトルエン、ジスチレン化クレゾール、亜硫酸ナトリウム及び亜硫酸水素ナトリウム等の酸化防止剤０．０１〜２質量％、
その他、青味付け剤、香料、抗菌防腐剤等が挙げられる。なお上記濃度は、配合する場合の好ましい濃度であるが、用途や剤形などによって多少変動してもよい。
【００４４】
本発明の組成物のＪＩＳ  Ｋ３３６２：１９９８記載の方法による２０℃におけるｐＨは、組成物が粉末もしくは固体の場合、０．１質量％水溶液のｐＨが６〜１０、液体の場合、原液のｐＨが６〜１０であることが好ましく、いずれの場合も、被洗浄物の変形・変質防止の点で、５〜８が好ましく、５．５〜８がより好ましく、６．５〜７．８が更に好ましく、７〜７．６が特に好ましい。
【００４５】
本発明の洗浄剤組成物は、錠剤、粉末、ペースト、液体等のいずれの形態でも良いが、溶解性、使い易さの点で液体が好ましい。本発明の組成物が液体である場合、残部は水であり、貯蔵安定性の点からイオン交換水を用いることが好ましい。また２０℃における粘度は、取り扱いの容易さの点で５〜５００ｍＰａ・ｓが好ましく、５〜４００ｍＰａ・ｓがより好ましく、５〜３００ｍＰａ・ｓが更に好ましい。粘度調整剤によりこのような範囲になるように調整することが好ましい。なお、これらの粘度は、Ｂ型粘度計（（株）東京計器製、ＶＩＳＣＯＭＥＴＥＲ  ＭＯＤＥＬ  ＤＶＭ−Ｂ）を用い、ローター番号１もしくは２、回転数６０ｒ／ｍｉｎの条件であり、ローターの回転を開始し、６０秒間秒経ったときの粘度を液体の粘度である。
【００４６】
粘度調整剤としては、前記の減粘剤や可溶化剤等を用いることができ、増粘剤として水溶性高分子、無機電解質を用いることができる。上記（ｃ）成分以外の水溶性高分子としては、ビニルメチルエーテル−無水マレイン酸共重合物、ポリプロピレングリコール（分子量１００〜１０００）等が挙げられる。無機電解質としては、硫酸ナトリウム、塩化ナトリウム、塩化カリウム等が挙げられる。
【００４７】
本発明の洗浄剤組成物は、特に、肌触り・柔軟性、洗浄性能の点で、組成物中に含まれるＪＩＳ  Ｋ３３６２：１９９８記載の界面活性剤相当分が１０〜６０質量％、更に１２〜５５質量％、特に１５〜４５質量％であることが好ましい。
【００４８】
本発明の洗浄剤組成物は、繊維製品用として好適であり、具体的にはウールや化繊、木綿等のニット製品やおしゃれ着、肌着等、幅広い衣料用として好適である。
【００４９】
本発明の洗浄剤組成物は、洗濯により被洗浄物に肌触りの向上効果及び／又は柔軟性の向上効果を付与するために用いることができる。このため、柔軟性能（繊維製品に対する柔軟性の付与効果を有する）を具備する洗浄剤組成物として使用できる。
【００５０】
本発明の衣料用洗浄剤組成物は、（ａ）成分、（ｂ）成分（ｃ）成分を混合する製造方法であって、
（ｂ−１）成分〔又は（ｂ−１）成分を含む非イオン性界面活性剤の混合物〕と（ｂ−２）成分〔又は（ｂ−２）成分を含む非イオン性界面活性剤の混合物〕を、（ｂ−１）成分と（ｂ−２）成分の質量比率が（ｂ−１）成分に対し（ｂ−２）成分が２．５〜７．５、（ｂ−１）成分の含有量が組成物中２．５質量％以上、（ｂ−２）成分の含有量が組成物中１０．０質量％以上となるように用い、且つ
アニオン性界面活性剤の含有量が（ａ）成分に対し質量比率で１未満であり、（ａ）成分と（ｃ）成分の質量比率が（ｃ）成分に対し（ａ）成分が１未満となるよう調整する、製造方法により得られる。その際、上記の（ｂ）成分についての質量％及び質量比率を満たすものであれば、（ｂ−１）成分及び／又は（ｂ−２）成分を含む非イオン性界面活性剤の混合物を使用することもできる。
【実施例】
【００５１】
表１〜４に示す液体洗浄剤組成物を調製し、得られた組成物を用いて衣類の柔軟性、洗浄性、再汚染防止性についての評価を行った。その結果を表１〜４に示す。
【００５２】
＜柔軟性評価方法＞
全自動洗濯機（東芝ＡＷ-Ｄ８０２ＶＰ）の洗濯槽に水道水３０リットルを入れ、ウール編み布（カネボウ社製  中細毛糸使用）３５０ｇを入れる。更に表１〜４の液体洗浄剤組成物を４０ｍｌ入れ、ドライコースにて洗濯する。尚、水道水は２０℃に調整して用いた。洗濯終了後、２０℃、６５％ＲＨの恒温恒湿室に２４時間静置乾燥した。乾燥後の試験布の柔軟性について、標準衣料用液体洗浄剤組成物（表中、標準洗剤と表示、組成を表１に合わせて示す）で同様に処理した試験布と対比して、下記の基準で熟練したパネラー５名により評価した。評価点は５名の合計点とした。
−２点：標準衣料用液体洗浄剤組成物と比較して、肌触り・柔軟性が著しく悪い
−１点：標準衣料用液体洗浄剤組成物と比較して、肌触り・柔軟性が悪い
０点：標準衣料用液体洗浄剤組成物と比較して、肌触り・柔軟性が変わらない
１点：標準衣料用液体洗浄剤組成物と比較して、肌触り・柔軟性が良い
２点：標準衣料用液体洗浄剤組成物と比較して、肌触り・柔軟性が著しく良い
【００５３】
＜洗浄性評価法＞
・人工汚垢布の調製
四塩化エチレン７５Ｌに、下記に示す組成の有機汚垢を１５３１．２ｇ、及び同じく下記に示す組成のカーボンペースト２４０ｇを加えて１０分間超音波分散を行い、この浴中に幅１０ｃｍの清浄布（ウールモスリン（表中、「ウール」と表示）、金巾２００３布（表中、「木綿」と表示））を浸し、汚染後風乾して汚染布とする。この汚染布を１０ｃｍ×１０ｃｍに裁断し、洗浄試験に供した。
【００５４】
なお、有機汚垢の組成は、綿実油４４．８％、コレステロール１０．８％、オレイン酸１０．８％、パルミチン酸７．８％、セチルアルコール２．０％、固形パラフィン５．１％、流動パラフィン５．１％（合計８６．４％）であり、カーボンペーストの組成は旭カーボンブラック０．２％、綿実油１３．４％（合計１３．６％）である。ここで、％は、有機汚垢とカーボンペーストの混合物における割合（質量基準）である。
【００５５】
・洗浄性能評価
１リットルの水溶液（４°ＤＨ）に表１〜４の液体洗浄剤組成物を１．３３３ｇ秤取し、１０００ｍｌの溶液を調製し、ターゴトメーターにて試験を行なった。実験条件は、洗浄時間１０分。洗浄剤濃度１．３３３ｇ／1Ｌ、水の硬度４°ＤＨ、水の温度２０℃、すすぎは２０℃水道水にて５分間流水濯ぎである。洗浄後の人工汚垢布反射率を測定し（λ＝５５０μｍ）、次式により洗浄率を計算し、下記の基準で評価した。この時、９枚の人工汚垢布のうち、洗浄率の高いサンプル２枚及び低いサンプル２枚を除外し、残り５枚の平均値で評価した。
洗浄率(％)＝(洗浄後の反射率−洗浄前の反射率)／(原布の反射率−洗浄前の反射率)×１００
【００５６】
＜再汚染防止性＞
木綿の白布（金巾２００３布）またはウールの白布（ウールモスリン）を１０ｃｍ×１０ｃｍに裁断し、５枚１組とした。表１〜４の液体洗浄剤組成物の水溶液１リットルにカーボンブラックを加え、ターゴトメーターにて試験を行なった。これを３回繰り返し累積洗濯し、再汚染防止率の結果を測定した。実験条件は、洗浄時間１０分。洗浄剤濃度１．３３３ｇ／１Ｌ、水の硬度４°ＤＨ、水の温度２０℃、すすぎは２０℃水道水にて５分間流水濯ぎである。再汚染防止能は、洗浄前の原布（白布）及び試験後の汚染布の４６０ｎｍにおける反射率を自記色彩計（島津製作所製）にて測定し、次式によって再汚染防止率を求めた。
再汚染防止率（％）＝（試験後の反射率／原布の反射率）×１００
【００５７】
【表１】
2010100699.tif 000004
【００５８】
【表２】
2010100699.tif 000005
【００５９】
【表３】
2010100699.tif 000006
【００６０】
【表４】
2010100699.tif 000007
【００６１】
表中の成分は以下のものである。また、水酸化ナトリウムおよび混酸の「調整量」とは、組成物のｐＨ（２０℃）を７とする量である。
・アミンａ１：ステアリルアミドプロピルジメチルアミン
・非イオン性界面活性剤ｂ１：炭素数１０〜１４のアルキル基を有する直鎖第１級アルコールにＥＯを平均１２モル付加させたポリオキシエチレンアルキルエーテル
・非イオン性界面活性剤ｂ２：炭素数１０〜１４のアルキル基を有する直鎖第１級アルコールにＥＯを平均１０モル付加させたポリオキシエチレンアルキルエーテル
・非イオン性界面活性剤ｂ３：炭素数１０〜１４のアルキル基を有する直鎖第１級アルコールにＥＯを平均８モル付加させたポリオキシエチレンアルキルエーテル
・非イオン性界面活性剤ｂ４：炭素数１０〜１４のアルキル基を有する第２級アルコールにＥＯを平均７モル付加させたポリオキシエチレンアルキルエーテル
・非イオン性界面活性剤ｂ５：炭素数１０〜１４のアルキル基を有する第２級アルコールにＥＯを平均３モル付加させたポリオキシエチレンアルキルエーテル
・シリコーンｃ１：前記一般式（III）で表されるアミドポリエーテル変性シリコーン化合物であって、一般式（III）中のRがCH3、R1がCH3、Ａが（イ）-(CH2)3-NH-CO-CH2-O-(CH2CH2O)5-C12H25 及び（ロ）-(CH2)3-NH2 の混合〔（イ）／ （ロ）＝７／３（モル比）〕であって、Ｂが-(CH2)3-O-(CH2CH2O)10-CH3、ｌが300、ｍが７、ｎが４であり、ＨＬＢの測定値が６．０のシリコーン化合物。
・アニオン性界面活性剤１：直鎖アルキルベンゼンスルホン酸ナトリウム
・脂肪酸：花王株式会社製ルナックＬ−５５
・共重合体：下記の方法で合成した共重合体溶液を用いた。表中に記載の共重合体の濃度は、有効分濃度である。
温度計、攪拌機、窒素導入管、還流冷却器を備えたガラス製反応器に、平均分子量１５００のフェノキシポリエチレングリコール１００．００ｇ、無水マレイン酸５．００ｇ、イソプロピルアルコール６．９８ｇを仕込んで、窒素気流下、加熱して溶解させ、攪拌下１５０℃まで昇温した。イソプロピルアルコール還流化で、アクリル酸３０．００ｇ、ジ−ｔ−ブチルパーオキサイド４．５０ｇを別々に１時間にわたって連続滴下し、その後１時間攪拌を続けた。８０℃に冷却後、減圧（１３．３ｋＰａ）し、イソプロピルアルコールを除去した。常圧に戻した後、イオン交換水１３５．００ｇを加え、共重合体溶液を得た。